(57)【特許請求の範囲】
【請求項１】
端末デバイスが少なくとも１セットのＤＲＸパラメータを確定することと、
前記端末デバイスが前記少なくとも１セットのＤＲＸパラメータに基づいて、制御チャネルを監視するための目標時間周波数リソースを確定することと、
前記端末デバイスが前記目標時間周波数リソースにおいて前記制御チャネルを監視することとを含み、
前記端末デバイスが前記少なくとも１セットのＤＲＸパラメータに基づいて、制御チャネルを監視するための目標時間周波数リソースを確定することは、
前記端末デバイスが前記少なくとも１セットのＤＲＸパラメータに基づいて、前記制御チャネルを監視するための少なくとも１つの時間周波数リソース集合を確定することと、
前記端末デバイスが前記少なくとも１つの時間周波数リソース集合に基づいて、前記目標時間周波数リソースを確定することとを含み、
前記少なくとも１セットのＤＲＸパラメータが前記少なくとも１つの時間周波数リソース集合に一対一対応し、
前記目標時間周波数リソースが前記少なくとも１つの時間周波数リソース集合を含む
ことを特徴とする非連続受信ＤＲＸ方法。
【請求項２】
前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される
ことを特徴とする請求項１に記載の非連続受信ＤＲＸ方法。
【請求項３】
前記少なくとも１セットのＤＲＸパラメータの各セットのＤＲＸパラメータは、
オン時間、非アクティブ時間、再送時間、ＤＲＸ短周期、ＤＲＸ長周期及び周波数領域の監視範囲のうちの少なくとも１つのパラメータを含み、
前記周波数領域の監視範囲は、前記制御チャネルを監視するための周波数領域の範囲を示す
ことを特徴とする請求項１〜２のいずれか１項に記載の非連続受信ＤＲＸ方法。
【請求項４】
前記各セットのＤＲＸパラメータは１つ以上の前記周波数領域の監視範囲を含み、前記複数の前記周波数領域の監視範囲が周波数領域に連続しない
ことを特徴とする請求項３に記載の非連続受信ＤＲＸ方法。
【請求項５】
前記端末デバイスが少なくとも１セットのＤＲＸパラメータを確定することは、
前記端末デバイスが使用される少なくとも１つの基本パラメータセット、及び複数の基本パラメータセットと複数のセットのＤＲＸパラメータとの対応関係に基づいて、前記少なくとも１つの基本パラメータセットに対応する前記少なくとも１セットのＤＲＸパラメータを確定することを含む
ことを特徴とする請求項１〜４のいずれか１項に記載の非連続受信ＤＲＸ方法。
【請求項６】
前記端末デバイスが少なくとも１セットのＤＲＸパラメータを確定することは、
前記端末デバイスがネットワークデバイスにより送信された指示情報を受信することを含み、前記指示情報は、前記少なくとも１セットのＤＲＸパラメータを示す
ことを特徴とする請求項１〜５のいずれか１項に記載の非連続受信ＤＲＸ方法。
【請求項７】
前記指示情報は、メディアアクセス制御要素ＭＡＣ  ＣＥ又は下り制御情報ＤＣＩである
ことを特徴とする請求項６に記載の非連続受信ＤＲＸ方法。
【請求項８】
前記端末デバイスが少なくとも１セットのＤＲＸパラメータを確定することは、
前記端末デバイスがネットワークデバイスにより構成された複数のセットのＤＲＸパラメータから、前記少なくとも１セットのＤＲＸパラメータを確定することを含む
ことを特徴とする請求項１〜７のいずれか１項に記載の非連続受信ＤＲＸ方法。
【請求項９】
ネットワークデバイスが少なくとも１セットのＤＲＸパラメータを確定することと、
前記ネットワークデバイスが前記少なくとも１セットのＤＲＸパラメータに基づいて、制御チャネルを送信するための目標時間周波数リソースを確定することと、
前記ネットワークデバイスが前記目標時間周波数リソースにおいて端末デバイスに前記制御チャネルを送信することとを含み、
前記ネットワークデバイスが前記少なくとも１セットのＤＲＸパラメータに基づいて、制御チャネルを送信するための目標時間周波数リソースを確定することは、
前記ネットワークデバイスが前記少なくとも１セットのＤＲＸパラメータに基づいて、前記制御チャネルを送信するための少なくとも１つの時間周波数リソース集合を確定することと、
前記ネットワークデバイスが前記少なくとも１つの時間周波数リソース集合に基づいて、前記目標時間周波数リソースを確定することとを含み、
前記少なくとも１セットのＤＲＸパラメータが前記少なくとも１つの時間周波数リソース集合に一対一対応し、
前記目標時間周波数リソースが前記少なくとも１つの時間周波数リソース集合を含む
ことを特徴とする非連続受信ＤＲＸ方法。
【請求項１０】
前記ネットワークデバイスが前記少なくとも１セットのＤＲＸパラメータに基づいて、制御チャネルを送信するための目標時間周波数リソースを確定することは、
前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整されることを含む
ことを特徴とする請求項９に記載の非連続受信ＤＲＸ方法。
【請求項１１】
前記少なくとも１セットのＤＲＸパラメータの各セットのＤＲＸパラメータは、
オン時間、非アクティブ時間、再送時間、ＤＲＸ短周期、ＤＲＸ長周期及び周波数領域の監視範囲のうちの少なくとも１つのパラメータを含み、
前記周波数領域の監視範囲は、前記制御チャネルを監視するための周波数領域の範囲を示し、
及び／又は、
前記各セットのＤＲＸパラメータが１つ以上の周波数領域の監視範囲を含み、前記複数の周波数領域の監視範囲が周波数領域に連続しない
ことを特徴とする請求項９〜１０のいずれか１項に記載の非連続受信ＤＲＸ方法。
【請求項１２】
前記ネットワークデバイスが少なくとも１セットのＤＲＸパラメータを確定することは、
前記ネットワークデバイスが使用される少なくとも１つの基本パラメータセット、及び複数の基本パラメータセットと複数のセットのＤＲＸパラメータとの対応関係に基づいて、前記少なくとも１つの基本パラメータセットに対応する前記少なくとも１セットのＤＲＸパラメータを確定することを含む
ことを特徴とする請求項９〜１１のいずれか１項に記載の非連続受信ＤＲＸ方法。
【請求項１３】
前記方法は、さらに、
前記ネットワークデバイスが前記端末デバイスに指示情報を送信することを含み、前記指示情報は、前記少なくとも１セットのＤＲＸパラメータを示し、及び／又は、
前記指示情報は、メディアアクセス制御要素ＭＡＣ  ＣＥ又は下り制御情報ＤＣＩである
ことを特徴とする請求項９〜１２のいずれか１項に記載の非連続受信ＤＲＸ方法。
【請求項１４】
前記ネットワークデバイスが少なくとも１セットのＤＲＸパラメータを確定することは、
前記ネットワークデバイスが構成された複数のセットのＤＲＸパラメータから、前記少なくとも１セットのＤＲＸパラメータを確定することを含む
ことを特徴とする請求項９〜１３のいずれか１項に記載の非連続受信ＤＲＸ方法。
【請求項１５】
少なくとも１セットのＤＲＸパラメータを確定するように構成される確定ユニットと、
前記確定ユニットにより確定された目標時間周波数リソースにおいて制御チャネルを監視するように構成される監視ユニットとを含み、
前記確定ユニットは、さらに、前記少なくとも１セットのＤＲＸパラメータに基づいて、制御チャネルを監視するための目標時間周波数リソースを確定するように構成され、
前記確定ユニットは、さらに、前記少なくとも１セットのＤＲＸパラメータに基づいて、前記制御チャネルを監視するための少なくとも１つの時間周波数リソース集合を確定し、
前記少なくとも１つの時間周波数リソース集合に基づいて、前記目標時間周波数リソースを確定するように構成され、
前記少なくとも１セットのＤＲＸパラメータが前記少なくとも１つの時間周波数リソース集合に一対一対応し、
前記目標時間周波数リソースが前記少なくとも１つの時間周波数リソース集合を含む
ことを特徴とする端末デバイス。
【請求項１６】
少なくとも１セットのＤＲＸパラメータを確定するように構成される確定ユニットと、
目標時間周波数リソースにおいて端末デバイスに制御チャネルを送信するように構成される送信ユニットとを含み、
前記確定ユニットは、さらに、前記少なくとも１セットのＤＲＸパラメータに基づいて、制御チャネルを送信するための目標時間周波数リソースを確定するように構成され、
前記確定ユニットは、さらに、前記少なくとも１セットのＤＲＸパラメータに基づいて、前記制御チャネルを送信するための少なくとも１つの時間周波数リソース集合を確定し、
前記少なくとも１つの時間周波数リソース集合に基づいて、前記目標時間周波数リソースを確定するように構成され、
前記少なくとも１セットのＤＲＸパラメータが前記少なくとも１つの時間周波数リソース集合に一対一対応し、
前記目標時間周波数リソースが前記少なくとも１つの時間周波数リソース集合を含む
ことを特徴とするネットワークデバイス。
【発明の詳細な説明】
【技術分野】
【０００１】
本願の実施例は、無線通信分野に関し、具体的に、非連続受信方法、端末デバイス及びネットワークデバイスに関する。
【背景技術】
【０００２】
端末がネットワークデバイスによって送信されたデータを即時に監視できることを保証しながら、端末の電力消費の問題を解決するために、低電力と信号監視の要求は、不連続受信またはいわゆる非連続受信(Ｄｉｓｃｏｎｔｉｎｕｏｕｓ Ｒｅｃｅｐｔｉｏｎ、ＤＲＸ)によって可能な限り同時に満たされている。ＤＲＸは、端末デバイスが、物理ダウンリンク制御チャネル(Ｐｈｙｓｉｃａｌ Ｄｏｗｎｌｉｎｋ Ｃｏｎｔｒｏｌ ＣＨａｎｎｅｌ、ＰＤＣＣＨ)を監視することなく、ある時間期間にわたって周期的にスリープ状態(ｓｌｅｅｐ ｍｏｄｅ)に入ることを可能にし、ＰＤＣＣＨを監視する必要があるときにスリープ状態からウェイクアップ(ｗａｋｅ ｕｐ)することを可能にし、これにより、省電力化を達成することができる。
【０００３】
ロングタームエボリューション(Ｌｏｎｇ Ｔｅｒｍ Ｅｖｏｌｕｔｉｏｎ、ＬＴＥ)システムにおいて、端末デバイスがＤＲＸ機能を設定する場合、ネットワークデバイスは、端末デバイスのための１セットのＤＲＸパラメータ、例えば、オン時間(Ｏｎ Ｄｕｒａｔｉｏｎ Ｔｉｍｅ)、非アクティブ時間(Ｉｎａｃｔｉｖｉｔｙ Ｔｉｍｅ)、ＤＲＸ短周期、ＤＲＸ長周期等を設定し、端末デバイスは、これらのＤＲＸパラメータに従ってＰＤＣＣＨを監視する必要があるときを決定することができる。しかしながら、５Ｇシステムにおいて、例えば、様々な異なるサブキャリア間隔をサポートするなど、様々な基本パラメータセット(ｎｕｍｅｒｏｌｏｇｙ)をサポートすることは、端末デバイスがＰＤＣＣＨを監視するための時間周波数リソースを常に変化させることがあり、従来のＤＲＸの方式は、端末デバイスがデータを監視する必要性を満たすことができない。従って、端末デバイスが異なる基本パラメータセットに基づいてデータ送信を行う場合に、より柔軟なＤＲＸによって、低消費電力の要求及び信号監視の要求を満たすことが必要である。
【発明の概要】
【０００４】
本発明の実施例は、異なる基本パラメータセットに基づいて端末デバイスがデータ伝送を行う場合に、低消費電力の要求及び信号監視の要求を満たすことができる、非連続受信方法、端末デバイス及びネットワークデバイスを提供する。
【０００５】
第１の態様は、非連続受信方法を提供し、端末デバイスが少なくとも１セットのＤＲＸパラメータを確定することと、前記端末デバイスが前記少なくとも１セットのＤＲＸパラメータに基づいて、制御チャネルを監視するための目標時間周波数リソースを確定することと、前記端末デバイスが前記目標時間周波数リソースにおいて前記制御チャネルを監視することとを含む。
【０００６】
そして、端末デバイスは、複数のセットのＤＲＸパラメータに基づいて制御チャネルを監視するための目標時間周波数リソースを共同で決定し、それにより、端末デバイスは、異なる基本パラメータセットに基づいてデータ送信を行う場合にも、低消費電力の要求及び信号監視の要求を同時に満たすことができる。
【０００７】
選択可能で、前記端末デバイスが前記少なくとも１セットのＤＲＸパラメータに基づいて、制御チャネルを監視するための目標時間周波数リソースを確定することは、前記端末デバイスが前記少なくとも１セットのＤＲＸパラメータに基づいて、前記制御チャネルを監視するための少なくとも１つの時間周波数リソース集合を確定することと、前記端末デバイスが前記少なくとも１つの時間周波数リソース集合に基づいて、前記目標時間周波数リソースを確定することとを含み、前記少なくとも１セットのＤＲＸパラメータが前記少なくとも１つの時間周波数リソース集合に一対一対応し、前記目標時間周波数リソースが前記少なくとも１つの時間周波数リソース集合を含む。
【０００８】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【０００９】
すなわち、異なる時間周波数リソース集合における異なる時間周波数リソースの時間領域リソース範囲が完全に重複する場合、より小さな時間領域リソース範囲は、より大きな時間領域リソース範囲に一致するように調整されるべきであり、すなわち、時間領域リソース範囲は、より大きな時間領域リソース範囲に準拠する。
【００１０】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【００１１】
本実施例では、端末デバイスは、全帯域で制御チャネルを監視するのではなく、予め設定された周波数領域リソースの範囲内でのみ制御チャネルの監視を行うことができ、端末デバイスの監視の複雑度を抑えつつ、異なるサブキャリア間隔などの異なる基本パラメータセットに基づく信号伝送に柔軟に対応することができる。
【００１２】
選択可能で、前記各セットのＤＲＸパラメータは１つ以上の前記周波数領域の監視範囲を含み、前記複数の前記周波数領域の監視範囲が周波数領域に連続しない。
【００１３】
選択可能で、前記端末デバイスが少なくとも１セットのＤＲＸパラメータを確定することは、前記端末デバイスが使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定することを含む。
【００１４】
選択可能で、前記端末デバイスが少なくとも１セットのＤＲＸパラメータを確定することは、前記端末デバイスがネットワークデバイスにより送信された指示情報を受信することを含み、前記指示情報は、前記少なくとも１セットのＤＲＸパラメータを示す。
【００１５】
選択可能で、前記指示情報は、メディアアクセス制御要素ＭＡＣ  ＣＥ又は下り制御情報ＤＣＩである。
【００１６】
第２の態様は、非連続受信方法を提供し、ネットワークデバイスが少なくとも１セットのＤＲＸパラメータを確定することと、前記ネットワークデバイスが前記少なくとも１セットのＤＲＸパラメータに基づいて、制御チャネルを送信するための目標時間周波数リソースを確定することと、前記ネットワークデバイスが前記目標時間周波数リソースにおいて端末デバイスに前記制御チャネルを送信することとを含む。
【００１７】
そして、ネットワークデバイスは、複数のセットのＤＲＸパラメータに基づいて制御チャネルを送信するための目標時間周波数リソースを共通に決定することにより、端末デバイスが複数のセットのＤＲＸパラメータに従って制御チャネルを正確に監視することができ、それにより、異なる基本パラメータセットに基づくデータ送信の際にも、低消費電力の要求及び信号監視の要求を同時に満たすことができる。
【００１８】
選択可能で、前記ネットワークデバイスが前記少なくとも１セットのＤＲＸパラメータに基づいて、制御チャネルを送信するための目標時間周波数リソースを確定することは、前記ネットワークデバイスが前記少なくとも１セットのＤＲＸパラメータに基づいて、前記制御チャネルを送信するための少なくとも１つの時間周波数リソース集合を確定することと、前記ネットワークデバイスが前記少なくとも１つの時間周波数リソース集合に基づいて、前記目標時間周波数リソースを確定することとを含み、前記少なくとも１セットのＤＲＸパラメータが前記少なくとも１つの時間周波数リソース集合に一対一対応し、前記目標時間周波数リソースが前記少なくとも１つの時間周波数リソース集合を含む。
【００１９】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【００２０】
すなわち、異なる時間周波数リソース集合における異なる時間周波数リソースの時間領域リソース範囲が完全に重複する場合、より小さな時間領域リソース範囲は、より大きな時間領域リソース範囲に一致するように調整されるべきであり、すなわち、時間領域リソース範囲は、より大きな時間領域リソース範囲に準拠する。
【００２１】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【００２２】
本実施例では、端末デバイスは、全帯域で制御チャネルを監視するのではなく、予め設定された周波数領域リソースの範囲内でのみ制御チャネルの監視を行うことができ、端末デバイスの監視の複雑度を抑えつつ、異なるサブキャリア間隔などの異なる基本パラメータセットに基づく信号伝送に柔軟に対応することができる。
【００２３】
選択可能で、前記各セットのＤＲＸパラメータが１つ以上の周波数領域の監視範囲を含み、前記複数の周波数領域の監視範囲が周波数領域に連続しない。
【００２４】
選択可能で、前記ネットワークデバイスが少なくとも１セットのＤＲＸパラメータを確定することは、前記ネットワークデバイスが使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定することを含む。
【００２５】
選択可能で、前記方法は、さらに、前記ネットワークデバイスが前記端末デバイスに指示情報を送信することを含み、前記指示情報は、前記少なくとも１セットのＤＲＸパラメータを示す。
【００２６】
選択可能で、前記指示情報は、メディアアクセス制御要素ＭＡＣ  ＣＥ又は下り制御情報ＤＣＩである。
【００２７】
第３の態様は、上記第１の態様又は第１の態様の任意の代替的な実装態様における端末デバイスの動作を実行することができる端末デバイスが提供される。具体的には、端末デバイスは、上記の第１の態様又は第１の態様の任意の可能な実装形態における端末デバイスの動作を実行するためのモジュールユニットを含み得る。
【００２８】
第４の態様は、第２の態様又は第２の態様の任意の代替的な実装態様におけるネットワークデバイスの動作を実行することができるネットワークデバイスを提供する。特に、ネットワークデバイスは、上記の第２の態様または第２の態様の任意の可能な実装形態におけるネットワークデバイスの動作を実行するためのモジュール要素を含み得る。
【００２９】
第５の態様は、プロセッサと、送受信機と、メモリとを有する端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の態様または第１の態様の任意の可能な実装形態における方法を実行させるか、または、第３の態様で提供される端末デバイスを実現させる。
【００３０】
第６の態様は、プロセッサと、送受信機と、メモリとを備えるネットワークデバイスである。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、ネットワークデバイスに、第２の態様または第２の態様の任意の可能な実装形態における方法を実行させるか、または、第４の態様によって提供されるネットワークデバイスを実現させる。
【００３１】
第７の態様は、プログラムを記憶するコンピュータ可読記憶媒体を提供し、プログラムにより、上記第１の態様及びその様々な実施態様のいずれかの方法を端末デバイスに実行させる。
【００３２】
第８の態様は、プログラムを記憶するコンピュータ可読記憶媒体を提供し、プログラムにより、上記第２の態様及びその様々な実施態様のいずれかの方法を端末デバイスに実行させる。
【００３３】
第９の態様は、入力インターフェースと、出力インターフェースと、プロセッサと、メモリとを含みシステムオンチップを提供し、プロセッサは、メモリに記憶された命令を実行し、プロセッサは、命令が実行されると、上記第１の態様およびその様々な実装形態のいずれかを実装する。
【００３４】
第１０の態様は、入力インターフェースと、出力インターフェースと、プロセッサと、メモリとを含みシステムオンチップを提供し、プロセッサは、メモリに記憶された命令を実行し、プロセッサは、命令が実行されると、上記第２の態様およびその様々な実装形態のいずれかを実装する。
【００３５】
第１１の態様は、命令を含むコンピュータプログラム製品を提供し、コンピュータプログラム製品がコンピュータ上で実行されると、コンピュータに、第１の態様または第１の態様の任意の１つの代替的な実装における方法を実行させる。
【００３６】
第１２の態様は、命令を含むコンピュータプログラム製品を提供し、コンピュータプログラム製品がコンピュータ上で実行されると、コンピュータに、第２の態様または第２の態様の任意の１つの代替的な実装における方法を実行させる。
【図面の簡単な説明】
【００３７】
【図１】本願の実施例における応用シーンの模式図である。
【図２】ＤＲＸ方式でＰＤＣＣＨを監視する模式図である。
【図３】本願の実施例における非連続受信方法のフローチャートである。
【図４】１セットのＤＲＸパラメータにより確定された制御チャネル監視のための時間周波数リソースの模式図である。
【図５】本願の実施例における非連続受信方法のフローチャートである。
【図６（ａ）】第１のセットのＤＲＸパラメータにより確定された第１の時間周波数リソース集合の模式図である。
【図６（ｂ）】第２のセットのＤＲＸパラメータにより確定された第２の時間周波数リソース集合の模式図である。
【図６（ｃ）】２つセットのＤＲＸパラメータにより確定された目標時間周波数リソースの模式図である。
【図７（ａ）】第１のセットのＤＲＸパラメータにより確定された第１の時間周波数リソース集合の模式図である。
【図７（ｂ）】第２のセットのＤＲＸパラメータにより確定された第２の時間周波数リソース集合の模式図である。
【図７（ｃ）】２つのセットのＤＲＸパラメータにより確定された目標時間周波数リソースの模式図である。
【図８（ａ）】第１のセットのＤＲＸパラメータにより確定された第１の時間周波数リソース集合の模式図である。
【図８（ｂ）】第２のセットのＤＲＸパラメータにより確定された第２の時間周波数リソース集合の模式図である。
【図８（ｃ）】２つのセットのＤＲＸパラメータにより確定された目標時間周波数リソースの模式図である。
【図９】本願の実施例における非連続受信方法のフローチャートである。
【図１０】本願の実施例における端末デバイスのブロック図である。
【図１１】本願の実施例におけるネットワークデバイスのブロック図である。
【図１２】本願の実施例における端末デバイスの構成図である。
【図１３】本願の実施例におけるネットワークデバイスの構成図である。
【図１４】本願の実施例におけるシステムチップの構成図である。
【発明を実施するための形態】
【００３８】
以下、本発明の実施の形態について図面を参照して説明する。
【００３９】
なお、本願の実施例の技術は、例えば、移動体通信システムＧＳＭ、符号分割多元接続(Ｃｏｄｅ Ｄｉｖｉｓｉｏｎ Ｍｕｌｔｉｐｌｅ Ａｃｃｅｓｓ、ＣＤＭＡ)システム、広帯域符号分割多元接続(Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ)システム、ロングタームエボリューション(Ｌｏｎｇ Ｔｅｒｍ Ｅｖｏｌｕｔｉｏｎ、ＬＴＥ)システム、ＬＴＥ周波数分割複信(Ｆｒｅｑｕｅｎｃｙ Ｄｉｖｉｓｉｏｎ Ｄｕｐｌｅｘ、ＦＤＤ)システム、ＬＴＥ時分割複信(Ｔｉｍｅ Ｄｉｖｉｓｉｏｎ Ｄｕｐｌｅｘ、ＴＤＤ)、ユニバーサル移動体通信システム(Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ)、将来の５G通信システム等の様々な通信システムに適用可能である。
【００４０】
本発明は、端末デバイスに関連して様々な実施例を説明している。端末デバイスは、ユーザ装置(Ｕｓｅｒ Ｅｑｕｉｐｍｅｎｔ、ＵＥ)、アクセス端末、ユーザ装置、ユーザ局、移動局、リモート端末、モバイル装置、ユーザ端末、無線通信装置、ユーザエージェント又はユーザ装置を指してもよい。アクセス端末は、セルラー電話、コードレス電話、セッション開始プロトコル(Ｓｅｓｓｉｏｎ Ｉｎｉｔｉａｔｉｏｎ Ｐｒｏｔｏｃｏｌ、ＳＩＰ)電話、ワイヤレスローカルループ(Ｗｉｒｅｌｅｓｓ Ｌｏｃａｌ Ｌｏｏｐ、ＷＬＬ)局、パーソナルデジタル処理(Ｐｅｒｓｏｎａｌ Ｄｉｇｉｔａｌ Ａｓｓｉｓｔａｎｔ、ＰＤＡ)、ワイヤレス通信機能を有するハンドヘルドデバイス、コンピューティングデバイス、またはワイヤレスモデムに接続された他の処理デバイス、車載デバイス、ウェアラブルデバイス、将来の５Gネットワークにおける端末デバイス、または将来の陸上公衆移動通信ネットワーク(Ｐｕｂｌｉｃ Ｌａｎｄ Ｍｏｂｉｌｅ Ｎｅｔｗｏｒｋ、ＰＬＭＮ)ネットワークにおける端末デバイスなどであり得る。
【００４１】
本開示は、ネットワークデバイスに関連して様々な実施例を説明する。ネットワークデバイスは、端末デバイスと通信するための装置であってもよく、例えば、ＧＳＭシステムまたはＣＤＭＡ(Ｂａｓｅ Ｔｒａｎｓｃｅｉｖｅｒ Ｓｔａｔｉｏｎ、ＢＴＳ)における基地局であってもよく、ＷＣＤＭＡ (登録商標)システムにおける基地局(ＮｏｄｅＢ、ＮＢ)であってもよく、ＬＴＥシステムにおける発展型基地局(Ｅｖｏｌｕｔｉｏｎａｌ Ｎｏｄｅ Ｂ、ｅＮＢ又はｅＮｏｄｅＢ)であってもよく、または、中継局、アクセスポイント、車載装置、ウェアラブル装置、および将来の５Ｇネットワークにおけるネットワーク側装置または将来の発展型ＰＬＭＮネットワークにおけるネットワーク側装置などであってもよい。
【００４２】
図１は、本発明の実施例の応用シーンの概略図である。図１の通信システムは、ネットワークデバイス１０と端末デバイス２０とを含みうる。ネットワークデバイス１０は、端末デバイス２０に通信サービスを提供し、コアネットワークにアクセスするための装置であり、ネットワークデバイス１０から送信される同期信号やブロードキャスト信号等を検索することにより、端末デバイス２０がネットワークにアクセスし、ネットワークとの通信を行うことができる。図１に示される矢印は、端末デバイス２０とネットワークデバイス１０との間のセルラーリンクを介した上り/下りの送信を表すことができる。
【００４３】
本発明の実施例におけるネットワークは、パブリック地上波モバイルネットワーク(Ｐｕｂｌｉｃ Ｌａｎｄ Ｍｏｂｉｌｅ Ｎｅｔｗｏｒｋ、ＰＬＭＮ)またはデバイスツーデバイス(Ｄｅｖｉｃｅ ｔｏ Ｄｅｖｉｃｅ、Ｄ２Ｄ)ネットワークまたはマシンツーロボット(Ｍａｃｈｉｎｅ ｔｏ Ｍａｃｈｉｎｅ / Ｍａｎ、Ｍ２Ｍ)ネットワークまたは他のネットワークを指すことができ、図１は、単なる例示的な簡略図であり、ネットワークには、他の端末デバイスも含まれてよく、図１には示されていない。
【００４４】
端末デバイスは、データ伝送の非連続性のため、ネットワークデバイスのデータスケジューリング命令、すなわちＬＴＥにおけるＰＤＣＣＨなどの制御チャネルを常に監視することができず、そうでない場合、消費電力が過大となる。端末デバイスの電力消費を低減し、同時に端末がネットワークデバイスによって送信されたデータを即時に監視できることを保証するために、ＤＲＸによって電力消費と信号監視とをバランス化することができる。ネットワークデバイスは、ＰＤＣＣＨを監視する端末デバイスを、ネットワークデバイスが予め知られている時間内に「ウエイクアップ」するように、またはＤＲＸ ＯＮを構成することができる。ネットワークデバイスはまた、端末デバイスがＰＤＣＣＨを監視しないネットワークデバイスが予め知られている時間内に、端末デバイスを「スリープ」またはＤＲＸ ＯＦＦに設定することができる。このように、ネットワークデバイスが端末デバイスに送信するデータがある場合、ネットワークデバイスは、端末デバイスのＤＲＸ ＯＮ時間以内にＰＤＣＣＨを監視するようにスケジュールすることができ、ＤＲＸ ＯＦＦ時間以内に端末デバイスの電力消費を低減することができる。ＤＲＸは、端末デバイスが採用するＲＲＣ接続(ＲＲＣ-ＣＯＮＮＥＣＴＥＤ)モード又はＲＲＣアイドル(ＲＲＣ-ＩＤＬＥ)モードのような、異なる無線リソース制御(Ｒａｄｉｏ Ｒｅｓｏｕｒｃｅ Ｃｏｎｔｒｏｌ、ＲＲＣ)モードに応じて、異なる動作方法を有する。本願の実施例におけるＤＲＸの方法は、ネットワークデバイスが端末デバイスのＤＲＸ ＯＮ及びＤＲＸ ＯＦＦ状態を管理するための一連のタイマを設定するＲＲＣ-ＣＯＮＮＥＣＴＥＤモードにおけるＤＲＸ(Ｃ-ＤＲＸと略称される)にのみ関する。
【００４５】
ＤＲＸモードを使用したＰＤＣＣＨの監視の図である図２に示されるように、端末デバイスがＴ１期間にわたってウェイク状態にあり、ＰＤＣＣＨなどの制御チャネルが監視され得る。Ｔ２の期間において、端末デバイスは、ＰＤＣＣＨを監視することなく、スリープ状態にあり、電力消費を低減することができる。図２から、Ｔ２が長いほど端末デバイスの消費電力が低くなることがわかる。
【００４６】
端末デバイスがＤＲＸ機能を設定する場合、ネットワークデバイスは、端末デバイスのためのパラメータ、例えば、オン時間(Ｏｎ Ｄｕｒａｔｉｏｎ Ｔｉｍｅ)、非アクティブ時間(Ｉｎａｃｔｉｖｉｔｙ Ｔｉｍｅ)、ＤＲＸ短周期(Ｓｈｏｒｔ ＤＲＸ Ｃｙｃｌｅ)、ＤＲＸ長周期(Ｌｏｎｇ ＤＲＸ Ｃｙｃｌｅ)などを含む１セットのパラメータを設定し、端末デバイスは、これらのＤＲＸパラメータに従って、いつＰＤＣＣＨを監視する必要があるかを決定することができ、すなわち、端末デバイスは、これらのパラメータに従ってＴ１及びＴ２のサイズを決定することができる。
【００４７】
ここでのＴ１期間は、端末デバイスが下りＰＤＣＣＨを監視する時間であるオン時間によって決定され得、オン時間は、Ｏｎ Ｄｕｒａｔｉｏｎ Ｔｉｍｅと呼ばれ得、この期間内に、端末デバイスは、ウェイク状態にある。Ｔ２時間はまた、Ｏｐｐｏｒｔｕｎｉｔｙ ｆｏｒ ＤＲＸと呼ばれ得、この時間内に、端末デバイスは、省電力のためにＰＤＣＣＨを監視することなくスリープ状態に入り得、Ｔ１及びＴ２は、ＤＲＸ短周期又はＤＲＸ長周期であり得るＤＲＸ周期を実行する。ネットワークデバイスは、異なるサービスシーンに応じて、短周期又は長周期を端末デバイスにそれぞれ設定できる。短周期と長周期が同時に設定された場合、ある一定時間の間に下りＰＤＣＣＨが監視されない場合、端末デバイスはＤＲＸ短周期からＤＲＸ長周期に入る。
【００４８】
端末デバイスがＯｎ Ｄｕｒａｔｉｏｎ ＴｉｍｅにおいてＰＤＣＣＨを復号することに成功した場合、端末デバイスは、ＤＲＸ-Ｉｎａｃｔｉｖｉｔｙ Ｔｉｍｅｒがタイムアウトするまで、端末デバイスの持続時間、すなわち非アクティブ化時間(Ｉｎａｃｔｉｖｉｔｙ Ｔｉｍｅ)内にＰＤＣＣＨの監視を継続するＤＲＸ非アクティブ化タイマ(ＤＲＸ−Ｉｎａｃｔｉｖｉｔｙ Ｔｉｍｅｒ)を開始する。
【００４９】
しかしながら、５Ｇシステムにおいて、データ送信の際に、多種の基本パラメータセットを使用して、例えば、異なるサブキャリア間隔を使用してデータを送信することができ、これにより、端末デバイスがＰＤＣＣＨを監視する時間周波数リソースがずっと変化し、従来のＤＲＸの方式が端末デバイスがデータを監視する要求を満たすことができなくなる。したがって、異なる基本パラメータセットに基づいて端末デバイスがデータ伝送を行う場合に、より柔軟な方法で低消費電力の要求と信号監視の要求を満たすことが必要である。
【００５０】
本願の実施例は、端末デバイスが異なる基本パラメータセットに基づいてデータ送信を行う場合に、低消費電力の要求及び信号監視の要求を同時に満たすことができるように、複数のセットのＤＲＸパラメータに基づいて制御チャネルを監視するための目標時間周波数リソースを共同で決定することを提案する。
【００５１】
図３は本願の実施例における非連続受信方法３００のフローチャートである。この方法は、例えば図１に示す端末デバイス２０のような端末デバイスによって実行されてもよい。図３に示すように、この不連続受信の方法は、３１０〜３３０を含む。
【００５２】
３１０において、端末デバイスが少なくとも１セットのＤＲＸパラメータを確定する。  
【００５３】
具体的に、ネットワークデバイスは、端末デバイスのために１セット又は複数のセットのＤＲＸパラメータを構成し、ネットワークデバイスが端末デバイスのために複数のセットのＤＲＸパラメータを構成する場合、端末デバイスは、当該複数のセットのＤＲＸパラメータから、少なくとも１セットのＤＲＸパラメータを確定する。
【００５４】
選択可能で、当該少なくとも１セットのＤＲＸパラメータ内の各セットのＤＲＸパラメータは、オン時間（Ｏｎ Ｄｕｒａｔｉｏｎ Ｔｉｍｅ）、非アクティブ時間（Ｉｎａｃｔｉｖｉｔｙ Ｔｉｍｅ）、再送時間（Ｒｅｔｒａｎｓｍｉｓｓｉｏｎ Ｔｉｍｅ）、ＤＲＸ短周期（Ｓｈｏｒｔ ＤＲＸ Ｃｙｃｌｅ）、ＤＲＸ長周期（Ｌｏｎｇ ＤＲＸ Ｃｙｃｌｅ）及び周波数領域の監視範囲（Ｆｒｅｑｕｅｎｃｙ Ｍｏｎｉｔｏｒｉｎｇ Ｒａｎｇｅ、ＦＭＲ）のうちの少なくとも１つのパラメータを含み、ここで、当該周波数領域の監視範囲は、制御チャネルを監視するための周波数領域リソースの範囲を示し。
【００５５】
具体的には、各セットのＤＲＸパラメータにおけるＤＲＸパラメータは、制御チャネルを監視するための端末デバイスの時間周波数１セットのリソースを決定し、例えば、図４に示されるよに、１セットのＤＲＸパラメータによって決定される制御チャネルを監視するための時間周波数リソースの模式図である。図４において網掛け部分で示される時間周波数リソース位置で端末デバイスは制御チャネルを監視し、網掛け領域毎に示される時間周波数リソースは一定のＤＲＸ周期で分布し、そのＤＲＸ周期はＤＲＸ短周期又はＤＲＸ長周期であってよい。図４では３サイクルのみを示している。
【００５６】
本実施例では、端末デバイスは、全帯域の制御チャネルを監視するのではなく、予め設定された周波数領域リソースの範囲内でのみ制御チャネルの監視を行うことができ、端末デバイスの監視の複雑度を抑えつつ、異なるサブキャリア間隔などの異なる基本パラメータセットに基づく信号伝送に柔軟に対応することができる。
【００５７】
選択可能で、この各セットのＤＲＸパラメータは、周波数領域において不連続である１つ以上の周波数領域監視範囲を含む。
【００５８】
図４には１つのＦＭＲのみが示されているが、各セットのＤＲＸパラメータには１つ以上のＦＭＲパラメータが含まれ得る。更に、１セットのＤＲＸパラメータに複数のＦＭＲパラメータが含まれる場合、複数のＦＭＲパラメータにより示される周波数領域リソースの位置は、周波数領域において不連続であってもよく、複数のＦＭＲパラメータにより示される周波数領域リソースのサイズは、同じであっても異なっていてもよい。本願はこれに何ら限定されるものではない。
【００５９】
本願の実施例において、端末デバイスは、以下の２つの方式のいずれかを利用して当該少なくとも１セットのＤＲＸパラメータを確定することができる。
【００６０】
方式１
選択可能で、端末デバイスが当該少なくとも１セットのＤＲＸパラメータを確定することは、端末デバイス使用される少なくとも１つの基本パラメータセット、及び複数の基本パラメータセットと前記複数のセットのＤＲＸパラメータとの対応関係に基づいて、当該少なくとも１つの基本パラメータセットに対応する当該少なくとも１セットのＤＲＸパラメータを確定する。
【００６１】
具体的には、各セットのＤＲＸパラメータは、端末デバイスが特定の基本パラメータセットに基づいてＤＲＸ送信を行う際の要求を満たすために制御チャネルを監視するための時間周波数リソースのセットを決定し得るが、５Ｇシステムにおいて端末デバイスは、複数の基本パラメータセットを用いてネットワークデバイスとの間で制御信号又はデータの送信を行うことができるので、端末デバイスは、それが用いる少なくとも１つの基本パラメータセット、及び複数セットの基本パラメータと複数のセットのＤＲＸパラメータとの間の対応関係に基づいて、少なくとも１つセットの基本パラメータに対応する少なくとも１セットのＤＲＸパラメータのを決定し、それにより、少なくとも１セットのＤＲＸパラメータで、最終的に制御チャネルを監視するための目標時間周波数リソースを決定することができる。
【００６２】
複数の基本パラメータセットと複数のセットのＤＲＸパラメータとの間のこの対応関係は、例えば、テーブル、数式、画像等によって表されてもよく、この対応関係において、１つの基本パラメータセットは、１以上のセットＤＲＸパラメータに対応してもよく、１つのセットのＤＲＸパラメータは、１つ又は複数の基本パラメータセットに対応してもよいことを理解されたい。即ち、端末デバイスは、複数の基本パラメータセットと複数のセットのＤＲＸパラメータとの間の予め設定された対応関係を含むテーブルを検索することにより、少なくとも１つの基本パラメータセットに対応する少なくとも１つセットのＤＲＸパラメータを決定することができ、又は、端末デバイスは、予め設定された式及び当該基本パラメータセットの関連パラメータ情報により、当該少なくとも１つの基本パラメータセットに対応する少なくとも１つのセットのＤＲＸパラメータの識別子又は番号を計算してもよい。本願はこれに限定されるものではない。
【００６３】
方式２
選択可能で、端末デバイスが少なくとも１セットのＤＲＸパラメータを確定することは、端末デバイスネットワークデバイスにより送信された指示情報を受信することを含み、当該指示情報は、当該少なくとも１セットのＤＲＸパラメータを示す。
【００６４】
ここで、選択可能で、当該指示情報は、メディアアクセス制御（Ｍｅｄｉａ Ａｃｃｅｓｓ Ｃｏｎｔｒｏｌ、ＭＡＣ）制御要素（Ｃｏｎｔｒｏｌ Ｅｌｅｍｅｎｔ、ＣＥ）、又は下り制御情報（Ｄｏｗｎｌｏａｄ Ｃｏｎｔｒｏｌ Ｉｎｆｏｒｍａｔｉｏｎ、ＤＣＩ）である。
【００６５】
３２０において、端末デバイスが当該少なくとも１セットのＤＲＸパラメータに基づいて、制御チャネルを送信するための目標時間周波数リソースを確定する。
【００６６】
具体的に、各セットのＤＲＸパラメータは、例えば図３に示す制御チャネルを監視するための１セットの時間周波数リソースを確定し、端末デバイスが少なくとも１セットのＤＲＸパラメータを選択してから、当該少なくとも１セットのＤＲＸパラメータに対応する当該制御チャネルを監視するための少なくとも１つの時間周波数リソース集合を確定し、当該少なくとも１つの時間周波数リソース集合に基づいて、制御チャネルを監視するための目標時間周波数リソースを最終に確定する。
【００６７】
本出願の実施例では、監視制御チャネルは、監視制御チャネル領域、監視制御チャネルサブフレーム等と呼ばれてもよく、該制御チャネル領域は、少なくとも１つの制御チャネル、例えば少なくとも１つのＰＤＣＣＨを含む。
【００６８】
任意選択的に、図５に示されるように、３２０において含まれる３２１及び３２２を含み、３２１及び３２２は、端末デバイスが、少なくとも１つのセットのＤＲＸパラメータから目標時間周波数リソースを特定する方法についての１つの可能な実装を説明する。
【００６９】
３２１において、端末デバイスが当該少なくとも１セットのＤＲＸパラメータに基づいて、当該制御チャネルを監視するための少なくとも１つの時間周波数リソース集合を確定し、当該少なくとも１セットのＤＲＸパラメータが当該少なくとも１つの時間周波数リソース集合に一対一対応する。
【００７０】
３２２において、当該端末デバイスが当該少なくとも１つの時間周波数リソース集合に基づいて、当該目標時間周波数リソースを確定し、ここで、当該目標時間周波数リソースは、当該少なくとも１つの時間周波数リソース集合を含む。
【００７１】
具体的に、端末デバイスが少なくとも１セットのＤＲＸパラメータを選択した後、当該少なくとも１セットのＤＲＸパラメータに基づいて、当該制御チャネルを監視するための少なくとも１つの時間周波数リソース集合をそれぞれ確定し、当該少なくとも１つの時間周波数リソース集合に基づいて、制御チャネルを監視するための目標時間周波数リソースを確定し、当該目標時間周波数リソースは、当該少なくとも１つの時間周波数リソースを含み、すなわち、当該目標時間周波数リソースは、当該少なくとも１つの時間周波数リソースの和集合である。
【００７２】
例えば、図６（ａ）〜図６（ｃ）に示すように、２セットのＤＲＸパラメータにより確定された当該目標時間周波数リソースの模式図である。図６（ａ）は、端末デバイスが第１のセットのＤＲＸパラメータにより確定された、制御チャネルを監視するための第１の時間周波数リソース集合を示し、第１のセットのＤＲＸパラメータは、第１のオン時間Ｔ１１、第１の周波数領域の監視範囲ＦＭＲ１、ＤＲＸ周期Ｔ２１を含み、図６（ｂ）は、端末デバイスが第２のセットのＤＲＸパラメータにより確定された、制御チャネルを監視するための第２の時間周波数リソース集合を示し、第２のセットのＤＲＸパラメータは、第１のオン時間Ｔ１２、第１の周波数領域の監視範囲ＦＭＲ２、ＤＲＸ周期Ｔ２２を含む。ここで、Ｔ１１＜Ｔ１２、ＦＭＲ１＝ＦＭＲ２、Ｔ２１＜Ｔ２２である。図６（ｃ）は、端末デバイスが第１の時間周波数リソース集合と第２の時間周波数リソース集合により確定された目標時間周波数リソースを示し、当該目標時間周波数リソースは、当該第１の時間周波数リソース集合及び当該第２の時間周波数リソース集合を含むとわかる。
【００７３】
又は、例えば図７（ａ）〜図７（ｃ）は２セットのＤＲＸパラメータにより確定された当該目標時間周波数リソースの模式図である。図７（ａ）は、端末デバイスが第１のセットのＤＲＸパラメータにより確定された、制御チャネルを監視するための第１の時間周波数リソース集合を示し、第１のセットのＤＲＸパラメータは、第１のオン時間Ｔ１１、第１の周波数領域の監視範囲ＦＭＲ１、ＤＲＸ周期Ｔ２１を含み、図７（ｂ）は、端末デバイスが第２のセットのＤＲＸパラメータにより確定された制御チャネルを監視するための第２の時間周波数リソース集合を示し、第２のセットのＤＲＸパラメータは、第１のオン時間Ｔ１２、第１の周波数領域の監視範囲ＦＭＲ２、ＤＲＸ周期Ｔ２２を含む。ここで、Ｔ１１＜Ｔ１２、ＦＭＲ１≠ＦＭＲ２（ＦＭＲ１とＦＭＲ２とが示す周波数領域リソースの大きさも位置も同じではない）、Ｔ２１＜Ｔ２２である。図７（ｃ）は、端末デバイスが第１の時間周波数リソース集合と第２の時間周波数リソース集合により確定された目標時間周波数リソースを示し、当該目標時間周波数リソースが当該第１の時間周波数リソース集合及び当該第２の時間周波数リソース集合を含むと分かる。
【００７４】
さらに、選択可能で、当該少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【００７５】
すなわち、異なる時間周波数リソース集合における異なる時間周波数リソースの時間領域リソース範囲が完全に重複する場合、より小さな時間領域リソース範囲は、より大きな時間領域リソース範囲に一致するように調整されるべきであり、すなわち、時間領域リソース範囲は、より大きな時間領域リソース範囲に準拠する。
【００７６】
例えば、図６(ａ)から図６ (ｃ)に示すように、図６(ａ)の時間周波数リソースＡと図６(ｂ)の時間周波数リソースＢとが重なる場合、図６(ｃ)の時間周波数リソースＣは、時間周波数リソースＡ (周波数領域範囲はＦＭＲ１に等しく、時間領域範囲もＴ１２に等しい)と時間周波数リソースＢ (周波数領域範囲はＦＭＲ２に等しく、時間領域範囲はＴ１２に等しい)とを含み、ここで、時間周波数リソースＣの時間領域リソース範囲は大きなＴ１２に等しい。
【００７７】
一方、異なる時間周波数リソース集合における異なる時間周波数リソースの時間領域リソース範囲が重複しないか、または部分的に重複する場合、目標時間周波数リソースに含まれるこれらの異なる時間周波数リソースの時間領域リソース範囲は変化しない。例えば、図７(ａ)から図７(ｃ)に示すように、図７(ａ)の時間周波数リソースＡは、図６(ｂ)の時間周波数リソースＢと重ならず、図６(Ｃ)の時間周波数リソースＣは、時間周波数リソースＡ (周波数領域範囲はＦＭＲ１に等しく、時間領域範囲はＴ１１に等しい)と時間周波数リソースＢ (周波数領域範囲はＦＭＲ２に等しく、時間領域範囲はＴ１２に等しい)とを含む。
【００７８】
また、例えば図８（ａ）〜図８（ｃ）は、２セットのＤＲＸパラメータにより確定された当該目標時間周波数リソースの模式図である。図８（ａ）は、端末デバイスが第１のセットのＤＲＸパラメータにより確定された、制御チャネルを監視するための第１の時間周波数リソース集合を示し、第１のセットのＤＲＸパラメータは、第１のオン時間Ｔ１１、第１の周波数領域の監視範囲ＦＭＲ１、ＤＲＸ周期Ｔ２１を含み、図８（ｂ）は、端末デバイスが第２のセットのＤＲＸパラメータにより確定された、制御チャネルを監視するための第２の時間周波数リソース集合を示し、第２のセットのＤＲＸパラメータは、第１のオン時間Ｔ１２、第１の周波数領域の監視範囲ＦＭＲ２、ＤＲＸ周期Ｔ２２を含む。ここで、Ｔ１１＜Ｔ１２、ＦＭＲ１≠ＦＭＲ２（ＦＭＲ１とＦＭＲ２とで表される周波数領域リソースの大きさは同じであるが位置が異なる）、Ｔ２１＜Ｔ２２である。図８（ｃ）は、端末デバイスが第１の時間周波数リソース集合と第２の時間周波数リソース集合により確定された目標時間周波数リソースを示し、図８(ａ)の時間周波数リソースＡと図８(ｂ)の時間周波数リソースＢとが重なる場合、図８(Ｃ)の時間周波数リソースＣは、時間周波数リソースＡ (周波数領域範囲はＦＭＲ１に等しく、時間領域範囲もＴ１２に等しい)と時間周波数リソースＢ (周波数領域範囲はＦＭＲ２に等しく、時間領域範囲はＴ１２に等しい)とを含み、ここで、時間周波数リソースＣの時間領域リソース範囲はより大きいＴ１２に等しいことが分かる。
【００７９】
３３０において、端末デバイスが当該目標時間周波数リソースにおいて当該制御チャネルを監視する。
【００８０】
端末デバイスが当該目標時間周波数リソースにおいて制御チャネル例えばＰＤＣＣＨを監視するが、他の時間内は制御チャネルを監視しないため、省エネルギー化を図ることができる。
【００８１】
本願の実施例に係るＤＲＸの方法によれば、端末デバイスは、複数のセットのＤＲＸパラメータに基づいて制御チャネルを監視するための目標時間周波数リソースを共同で決定し、それにより、端末デバイスが異なる基本パラメータセットに基づいてデータ送信を行う場合にも、低消費電力の要求及び信号監視の要求を同時に満たすことができる。
【００８２】
図９は本願の実施例における非連続受信方法９００のフローチャートである。当該方法はネットワークデバイスにより実行され、当該ネットワークデバイスが例えば図１のネットワークデバイス１０である。図９に示すように、当該非連続受信方法は、９１０〜９３０を含む
９１０において、ネットワークデバイスが少なくとも１セットのＤＲＸパラメータを確定する。
【００８３】
選択可能で、当該少なくとも１セットのＤＲＸパラメータ内の各セットのＤＲＸパラメータは、オン時間（Ｏｎ Ｄｕｒａｔｉｏｎ Ｔｉｍｅ）、非アクティブ時間（Ｉｎａｃｔｉｖｉｔｙ Ｔｉｍｅ）、再送時間（Ｒｅｔｒａｎｓｍｉｓｓｉｏｎ Ｔｉｍｅ）、ＤＲＸ短周期（Ｓｈｏｒｔ ＤＲＸ Ｃｙｃｌｅ）、ＤＲＸ長周期（Ｌｏｎｇ ＤＲＸ Ｃｙｃｌｅ）及び周波数領域の監視範囲（Ｆｒｅｑｕｅｎｃｙ Ｍｏｎｉｔｏｒｉｎｇ Ｒａｎｇｅ、ＦＭＲ）のうちの少なくとも１つのパラメータを含み、ここで、当該周波数領域の監視範囲は、制御チャネルを監視するための周波数領域リソースの範囲を示す。
【００８４】
選択可能で、当該各セットのＤＲＸパラメータは、１つ以上の前記周波数領域の監視範囲を含み、当該複数の周波数領域の監視範囲が周波数領域に連続しない。
【００８５】
９２０において、ネットワークデバイスが当該少なくとも１セットのＤＲＸパラメータに基づいて、制御チャネルを送信するための目標時間周波数リソースを確定する。
【００８６】
選択可能で、ネットワークデバイスが当該少なくとも１セットのＤＲＸパラメータに基づいて、制御チャネルを送信するための目標時間周波数リソースを確定することは、ネットワークデバイスが当該少なくとも１セットのＤＲＸパラメータに基づいて、当該制御チャネルを送信するための少なくとも１つの時間周波数リソース集合を確定し、当該少なくとも１セットのＤＲＸパラメータが当該少なくとも１つの時間周波数リソース集合と一対一対応し、ネットワークデバイスが当該少なくとも１つの時間周波数リソース集合に基づいて、当該目標時間周波数リソースを確定し、ここで、当該目標時間周波数リソースは当該少なくとも１つの時間周波数リソース集合を含む。
【００８７】
さらに、選択可能で、当該少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【００８８】
すなわち、異なる時間周波数リソース集合における異なる時間周波数リソースの時間領域リソース範囲が完全に重複する場合、より小さな時間領域リソース範囲は、より大きな時間領域リソース範囲に一致するように調整されるべきであり、すなわち、時間領域リソース範囲は、より大きな時間領域リソース範囲に準拠する。
【００８９】
例えば、図８（ａ）〜図８（ｃ）は、２セットのＤＲＸパラメータにより確定された当該目標時間周波数リソースの模式図である。図８（ａ）は、端末デバイスが第１のセットのＤＲＸパラメータにより確定された制御チャネルを監視するための第１の時間周波数リソース集合を示し、第１のセットのＤＲＸパラメータは、第１のオン時間Ｔ１１、第１の周波数領域の監視範囲ＦＭＲ１、ＤＲＸ周期Ｔ２１を含み、図８（ｂ）は、端末デバイスが第２のセットのＤＲＸパラメータにより確定された制御チャネルを監視するための第２の時間周波数リソース集合を示し、第２のセットのＤＲＸパラメータは、第１のオン時間Ｔ１２、第１の周波数領域の監視範囲ＦＭＲ２、ＤＲＸ周期Ｔ２２を含む。ここで、Ｔ１１＜Ｔ１２、ＦＭＲ１＝ＦＭＲ２、Ｔ２１＜Ｔ２２である。図８（ｃ）は、端末デバイスが第１の時間周波数リソース集合及び第２の時間周波数リソース集合により確定された目標時間周波数リソースを示し、図８(ａ)の時間周波数リソースＡと図８(ｂ)の時間周波数リソースＢとが重なる場合、図８(ｃ)の時間周波数リソースＣは、時間周波数リソースＡ (周波数領域範囲はＦＭＲ１に等しく、時間領域範囲もＴ１２に等しい)と時間周波数リソースＢ (周波数領域範囲はＦＭＲ２に等しく、時間領域範囲はＴ１２に等しい)とを含み、ここで、時間周波数リソースＣの時間領域リソース範囲はより大きいＴ１２に等しいことが分かる。
【００９０】
なお、ネットワークデバイスが目標時間帯リソースを決定する処理は、具体的には、前述の図３の端末デバイスが目標時間帯リソースを決定する処理の説明を参照することができ、簡潔のためここでは繰り返し説明しない。
【００９１】
９３０において、ネットワークデバイスが当該目標時間周波数リソースにおいて端末デバイスに当該制御チャネルを送信する。
【００９２】
本願の実施例前記ＤＲＸの用法によって、ネットワークデバイスは、複数のセットのＤＲＸパラメータに基づいて制御チャネルを送信するための目標時間周波数リソースを共通に決定することにより、端末デバイスが複数のセットのＤＲＸパラメータに従って制御チャネルを正確に監視することができ、それにより、異なる基本パラメータセットに基づくデータ送信の際にも、低消費電力要件及び信号監視要件を同時に満たすことができる。
【００９３】
本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではないことを理解されたい。
【００９４】
図１０は本願の実施例における端末デバイス１０００のブロック図である。図１０に示すように、当該端末デバイス１０００は、確定ユニット１０１０及び監視ユニット１０２０を含む。
【００９５】
確定ユニット１０１０は、少なくとも１セットのＤＲＸパラメータを確定するように構成される。
【００９６】
前記確定ユニット１０１０は、さらに、前記少なくとも１セットのＤＲＸパラメータに基づいて、制御チャネルを監視するための目標時間周波数リソースを確定するように構成される。
【００９７】
監視ユニット１０２０は、さらに、確定ユニット１０１０により確定された前記目標時間周波数リソースにおいて前記制御チャネルを監視するように構成される。
【００９８】
そして、端末デバイスは、複数のセットのＤＲＸパラメータに基づいて制御チャネルを監視するための目標時間周波数リソースを共同で決定し、それにより、端末デバイスは、異なる基本パラメータセットに基づいてデータ送信を行う場合にも、低消費電力の要求及び信号監視の要求を同時に満たすことができる。
【００９９】
選択可能で、前記確定ユニット１０１０は、具体的に、前記少なくとも１セットのＤＲＸパラメータに基づいて、前記制御チャネルを監視するための少なくとも１つの時間周波数リソース集合を確定し、前記少なくとも１つの時間周波数リソース集合に基づいて、前記目標時間周波数リソースを確定するように構成され、ここで、前記少なくとも１セットのＤＲＸパラメータが前記少なくとも１つの時間周波数リソース集合に一対一対応し、前記目標時間周波数リソースが前記少なくとも１つの時間周波数リソース集合を含む。
【０１００】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【０１０１】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【０１０２】
選択可能で、前記各セットのＤＲＸパラメータは１つ以上の前記周波数領域の監視範囲を含み、前記複数の前記周波数領域の監視範囲が周波数領域に連続しない。
【０１０３】
選択可能で、前記端末デバイスが少なくとも１セットのＤＲＸパラメータを確定することは、使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定することを含む。
【０１０４】
選択可能で、前記確定ユニット１０１０は、さらに、ネットワークデバイスにより送信された指示情報を受信するように構成され、前記指示情報は、前記少なくとも１セットのＤＲＸパラメータを示す。
【０１０５】
選択可能で、前記指示情報は、メディアアクセス制御要素ＭＡＣ  ＣＥ又は下り制御情報ＤＣＩである。
【０１０６】
図１１は本願の実施例におけるネットワークデバイス１１００の模式図である。図１１に示すように、当該ネットワークデバイス１１００は、確定ユニット１１１０及び送信ユニット１１２０を含む。
【０１０７】
確定ユニット１１１０は、少なくとも１セットのＤＲＸパラメータを確定するように構成される。
【０１０８】
前記確定ユニットは、さらに、前記少なくとも１セットのＤＲＸパラメータに基づいて、制御チャネルを送信するための目標時間周波数リソースを確定するように構成される。  
【０１０９】
送信ユニット１１２０は、前記確定ユニット１１１０により確定された前記目標時間周波数リソースにおいて端末デバイスに前記制御チャネルを送信するように構成される。
【０１１０】
そして、ネットワークデバイスは、複数のセットのＤＲＸパラメータに基づいて制御チャネルを送信するための目標時間周波数リソースを共通に決定することにより、端末デバイスが複数のセットのＤＲＸパラメータに従って制御チャネルを正確に監視することができ、それにより、異なる基本パラメータセットに基づくデータ送信の際にも、低消費電力の要求及び信号監視の要求を同時に満たすことができる。
【０１１１】
選択可能で、前記確定ユニット１１１０は、具体的に、前記少なくとも１セットのＤＲＸパラメータに基づいて、前記制御チャネルを送信するための少なくとも１つの時間周波数リソース集合を確定し、前記少なくとも１つの時間周波数リソース集合に基づいて、前記目標時間周波数リソースを確定するように構成され、ここで、前記少なくとも１セットのＤＲＸパラメータが前記少なくとも１つの時間周波数リソース集合に一対一対応し、前記目標時間周波数リソースが前記少なくとも１つの時間周波数リソース集合を含む。
【０１１２】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【０１１３】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【０１１４】
選択可能で、前記各セットのＤＲＸパラメータが１つ以上の周波数領域の監視範囲を含み、前記複数の周波数領域の監視範囲が周波数領域に連続しない。
【０１１５】
選択可能で、前記確定ユニット１１１０は、具体的に、使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定するように構成される。
【０１１６】
選択可能で、前記送信ユニット１１２０は、さらに、前記端末デバイスに指示情報を送信するように構成され、前記指示情報は、前記少なくとも１セットのＤＲＸパラメータを示す。
【０１１７】
選択可能で、前記指示情報は、メディアアクセス制御要素ＭＡＣ  ＣＥ又は下り制御情報ＤＣＩである。
【０１１８】
図１２は、本発明の実施例に係る端末デバイス１２００の概略構成図である。図１２に示すように、端末デバイスは、プロセッサ１２１０、送受信機１２２０、及びメモリ１２３０を含み、プロセッサ１２１０、送受信機１２２０、及びメモリ１２３０は、内部接続経路を介して互いに通信する。メモリ１２３０は、命令を記憶するために使用され、プロセッサ１２１０は、送受信機１２２０を制御して信号を受信または送信するためにメモリ１２３０によって記憶された命令を実行するために使用される。
【０１１９】
ここで、当該プロセッサ１２１０は、少なくとも１セットのＤＲＸパラメータを確定し、前記少なくとも１セットのＤＲＸパラメータに基づいて、制御チャネルを監視するための目標時間周波数リソースを確定する。
【０１２０】
当該プロセッサ１２１０は、さらに、送受信機１２２０を介して前記目標時間周波数リソースにおいて前記制御チャネルを監視する。
【０１２１】
選択可能で、前記プロセッサ１２１０は、具体的に、前記少なくとも１セットのＤＲＸパラメータに基づいて、前記制御チャネルを監視するための少なくとも１つの時間周波数リソース集合を確定し、前記少なくとも１つの時間周波数リソース集合に基づいて、前記目標時間周波数リソースを確定するように構成され、ここで、前記少なくとも１セットのＤＲＸパラメータが前記少なくとも１つの時間周波数リソース集合に一対一対応し、前記目標時間周波数リソースが前記少なくとも１つの時間周波数リソース集合を含む。
【０１２２】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【０１２３】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【０１２４】
選択可能で、前記各セットのＤＲＸパラメータは１つ以上の前記周波数領域の監視範囲を含み、前記複数の前記周波数領域の監視範囲が周波数領域に連続しない。
【０１２５】
選択可能で、前記端末デバイスが少なくとも１セットのＤＲＸパラメータを確定することは、使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定することを含む。
【０１２６】
選択可能で、前記プロセッサ１２１０は、具体的に、送受信機１２２０を介してネットワークデバイスにより送信された指示情報を受信し、前記指示情報に基づいて前記少なくとも１セットのＤＲＸパラメータを確定し、前記指示情報は、前記少なくとも１セットのＤＲＸパラメータを示す。
【０１２７】
選択可能で、前記指示情報は、メディアアクセス制御要素ＭＡＣ  ＣＥ又は下り制御情報ＤＣＩである。
【０１２８】
プロセッサ１２１０は、本願の実施例において、中央監視ユニット(Ｃｅｎｔｒａｌ Ｐｒｏｃｅｓｓｉｎｇ Ｕｎｉｔ、ＣＰＵ)であってもよく、他の汎用プロセッサ、デジタル信号プロセッサ(Ｄｉｇｉｔａｌ Ｓｉｇｎａｌ Ｐｒｏｃｅｓｓｏｒ、ＤＳＰ)、特定用途向け集積回路(Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ)、既製のプログラマブルゲートアレイ(Ｆｉｅｌｄ Ｐｒｏｇｒａｍｍａｂｌｅ Ｇａｔｅ Ａｒｒａｙ、ＦＰＧＡ)又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１２９】
メモリ１２３０は、読み出し専用メモリおよびランダムアクセスメモリを含み得、プロセッサ１２１０に命令およびデータを提供し得る。メモリ１２３０の一部は、不揮発性ランダムアクセスメモリをさらに含み得る。例えば、メモリ１２３０は、デバイスタイプの情報をさらに記憶してもよい。
【０１３０】
実施において、方法のステップは、プロセッサ１２１０内のハードウェアの集積論理回路またはソフトウェア形態の命令によって実行され得る。本願の実施例に関連して開示される位置特定方法のステップは、ハードウェアプロセッサによる実行として直接的に、またはプロセッサ１２１０内のハードウェアおよびソフトウェアモジュールの組み合わせによる実行として具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体はメモリ１２３０にあり、プロセッサ１２１０はメモリ１２３０の情報を読み出し、そのハードウェアとともに上記方法のステップを遂行する。重複を避けるため、ここでは詳細な説明は省略する。
【０１３１】
本発明の実施例に係る端末デバイス１２００は、前述した方法３００の実行のための端末デバイス、及び本発明の実施例に係る端末デバイス１０００に対応することができ、該端末デバイス１２００における各ユニット又はモジュールは、前述した方法３００の端末デバイスが実行する各動作又は処理過程を実行するためにそれぞれ使用されるが、ここで、重複説明を避けるために、その詳細な説明は省略する。
【０１３２】
図１３は、本発明の実施例に係るネットワークデバイス１３００の概略構成図である。図１３に示すように、ネットワークデバイスは、プロセッサ１３１０、送受信機１３２０、及びメモリ１３３０を含み、プロセッサ１３１０、送受信機１３２０、及びメモリ１３３０は、内部接続経路を介して互いに通信する。メモリ１３３０は、命令を格納するために使用され、プロセッサ１３１０は、送受信機１３２０を制御して信号を受信または送信するために、メモリ１３３０に格納された命令を実行するために使用される。
【０１３３】
ここで、当該プロセッサ１３１０は、少なくとも１セットのＤＲＸパラメータを確定し、前記少なくとも１セットのＤＲＸパラメータに基づいて、制御チャネルを送信するための目標時間周波数リソースを確定する。
【０１３４】
当該送受信機１３２０は、プロセッサ１３１０により確定された前記目標時間周波数リソースにおいて端末デバイスに前記制御チャネルを送信する。
【０１３５】
選択可能で、前記少なくとも１つの時間周波数リソース集合において、第１の時間周波数リソース集合内の第１の時間周波数リソースの時間領域リソース範囲が第２の時間周波数リソース集合内の第２の時間周波数リソースの時間領域リソース範囲を含む場合、前記第２の時間周波数リソースの時間領域リソース範囲が前記第１の時間周波数リソースの時間領域リソース範囲に調整される。
【０１３６】
選択可能で、前記少なくとも１セットのＤＲＸパラメータの各セットのＤＲＸパラメータは、オン時間、非アクティブ時間、再送時間、ＤＲＸ短周期、ＤＲＸ長周期及び周波数領域の監視範囲のうちの少なくとも１つのパラメータを含み、ここで、前記周波数領域の監視範囲は、前記制御チャネルを監視するための波数領域の範囲を示す。
【０１３７】
選択可能で、前記各セットのＤＲＸパラメータが１つ以上の周波数領域の監視範囲を含み、前記複数の周波数領域の監視範囲が周波数領域に連続しない。
【０１３８】
選択可能で、前記プロセッサ１３１０は、具体的に、使用される少なくとも１つの基本パラメータセット、及び複数の基本パラメータセットと前記複数のセットのＤＲＸパラメータとの対応関係に基づいて、前記少なくとも１つの基本パラメータセットに対応する前記少なくとも１セットのＤＲＸパラメータを確定する。
【０１３９】
選択可能で、前記送受信機１３２０は、さらに、前記端末デバイス指示情報を送信し、前記指示情報は、前記少なくとも１セットのＤＲＸパラメータを示す。
【０１４０】
選択可能で、前記指示情報は、メディアアクセス制御要素ＭＡＣ  ＣＥ又は下り制御情報ＤＣＩである。
【０１４１】
プロセッサ１３１０は、本願の実施例において、中央監視ユニット(Ｃｅｎｔｒａｌ Ｐｒｏｃｅｓｓｉｎｇ Ｕｎｉｔ、ＣＰＵ)であってもよく、他の汎用プロセッサ、デジタル信号プロセッサ(ＤＳＰ)、特定用途向け集積回路(ＡＳＩＣ)、既製プログラマブルゲートアレイ(ＦＰＧＡ)又は他のプログラマブル論理デバイス、個別ゲート又はトランジスタ論理デバイス、個別ハードウェアコンポーネント等であってもよいことが理解されるべきである。汎用プロセッサはマイクロプロセッサであってもよく、プロセッサは任意の従来のプロセッサなどであってもよい。
【０１４２】
メモリ１３３０は、読み出し専用メモリおよびランダムアクセスメモリを含み得、命令およびデータをプロセッサ１３１０に提供し得る。メモリ１３３０の一部は、不揮発性ランダムアクセスメモリをさらに含んでもよい。例えば、メモリ１３３０は、デバイスタイプの情報をさらに記憶してもよい。
【０１４３】
実施において、方法のステップは、プロセッサ１３１０におけるハードウェアの集積論理回路またはソフトウェア形態の命令によって実行され得る。本願の実施例に関連して開示される測位方法のステップは、ハードウェアプロセッサ実行として直接的に、またはプロセッサ１３１０内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリ１３３０に位置し、プロセッサ１３１０は、メモリ１３３０内の情報を読み出し、そのハードウェアとともに、上述した方法のステップを実行する。重複を避けるため、ここでは詳細な説明は省略する。
【０１４４】
本発明の実施例に係るネットワークデバイス１３００は、上述した方法９００における方法９００を実行するためのネットワークデバイス、及び本発明の実施例に係るネットワークデバイス１１００に対応することができ、該ネットワークデバイス１３００における各ユニット又はモジュールは、上述した方法９００におけるネットワークデバイスによって実行される各動作又は処理手順を実行するためにそれぞれ使用されるが、ここでは、重複説明を避けるために、その詳細な説明は省略する。
【０１４５】
図１４は、本発明の実施例におけるシステムオンチップの概略構成図である。図１４のシステムチップ１４００は、入力インターフェース１４０１、出力インターフェース１４０２、少なくとも１つのプロセッサ１４０３、メモリ１４０４を含み、前記入力インターフェース１４０１、出力インターフェース１４０２、前記プロセッサ１４０３、及びメモリ１４０４の間は、内部接続経路によって互いに接続される。プロセッサ１４０３は、メモリ１４０４内でコードを実行するために使用される。
【０１４６】
選択可能で、コードが実行されると、プロセッサ１４０３は、方法の実施例において端末デバイスによって実行される方法３００を実施してもよい。簡潔にするために、ここでは繰り返し説明しない。
【０１４７】
選択可能で、コードが実行されると、プロセッサ１４０３は、方法の実施例においてネットワークデバイスにより実行される方法９００を実施してもよい。簡潔にするために、ここでは繰り返し説明しない。
【０１４８】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１４９】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１５０】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１５１】
この分離手段として説明するユニットは、物理的に分離していても、分離していなくてもよく、ユニットとして表示する手段は、物理的なユニットであっても、物理的なユニットでなくても、１箇所にあっても、複数のネットワークユニットに分散していてもよい。また、本実施例の目的は、必要に応じて各部の一部又は全部を選択して実施することができる。
【０１５２】
また、本発明の各実施例における各機能部は、一つの監視ユニットに集積されてもよく、各ユニットが物理的に別個に存在してもよく、二つ以上のユニットが一つのユニットに集積されてもよい。
【０１５３】
この機能をソフトウェア機能ユニットの形で実現し、スタンドアロン製品として販売又は使用する場合には、コンピュータ読み取り可能な記憶媒体に記憶させることができる。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、U字ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１５４】
以上、本発明の具体的な実施例について説明したが、本発明の権利範囲はこれに限定されるものではなく、本発明の属する技術分野における通常の知識を有する者であれば、本発明の権利範囲内で、本発明の権利範囲に属すると思われる変更や置換を容易に想到することができる。したがって、本発明の実施例の保護範囲は、特許請求の範囲の保護範囲に準ずるべきである。
【図１】
0006961722.tif 000002
【図２】
0006961722.tif 000003
【図３】
0006961722.tif 000004
【図４】
0006961722.tif 000005
【図５】
0006961722.tif 000006
【図６ａ】
0006961722.tif 000007
【図６ｂ】
0006961722.tif 000008
【図６ｃ】
0006961722.tif 000009
【図７ａ】
0006961722.tif 000010
【図７ｂ】
0006961722.tif 000011
【図７ｃ】
0006961722.tif 000012
【図８ａ】
0006961722.tif 000013
【図８ｂ】
0006961722.tif 000014
【図８ｃ】
0006961722.tif 000015
【図９】
0006961722.tif 000016
【図１０】
0006961722.tif 000017
【図１１】
0006961722.tif 000018
【図１２】
0006961722.tif 000019
【図１３】
0006961722.tif 000020
【図１４】
0006961722.tif 000021